(57)【要約】      （修正有）【課題】安価で汎用性の高いコンバイン用穀粒搬送機構を提供する。【解決手段】コンバインのホッパー下部に取り付けられ穀粒を収容する穀粒収容器と、該穀粒収容器に着脱自在に装着され穀粒を搬送する搬送装置と、該搬送装置に連設され搬送装置を駆動する駆動装置とから構成され、穀粒収容器は上面が開放され底面に向かって傾斜面となる側板部を少なくとも２面有する穀粒貯蔵部と、該貯蔵部の底部に設けられた穀粒排出用の開口部と、該開口部に対応する穀粒受用開口部を有し前記穀粒収容器の側面に形成された投入口から所定角度を付けて装着された筒状管体とから構成される。【選択図】図１
0003115533.tif 000002
【実用新案登録請求の範囲】
【請求項１】
コンバインのホッパー下部に着脱可能に取り付けられ穀粒を収容する穀粒収容器と、該穀粒収容器に着脱自在に装着され穀粒を搬送する搬送装置と、該搬送装置に連設され搬送装置を駆動する駆動装置とから構成されるコンバイン用穀粒搬送機構。
【請求項２】
コンバインのホッパー下部に取り付けられ穀粒を収容する穀粒収容器であって、上面が開放され底面に向かって傾斜面となる側板部を少なくとも２面有する穀粒貯蔵部と、該貯蔵部の底部に設けられた穀粒排出用の開口部と、該開口部に対応する穀粒受用開口部を有し前記穀粒収容器の側面に形成された投入口から所定角度を付けて装着された筒状管体と、から構成されることを特徴とする請求項１記載のコンバイン用穀粒搬送機構。
【請求項３】
前記穀粒収容器に着脱自在に装着され穀粒を搬送する搬送装置であって、前記筒状管体内に装着され穀粒を受ける受口部と、穀粒を搬送する搬送部と、搬送された穀粒を排出する排出口と、前記搬送部を駆動させる駆動装置から構成されることを特徴とする請求項１又は２記載のコンバイン用穀粒搬送機構。
【考案の詳細な説明】
【技術分野】
【０００１】
本考案は、穀粒搬送機構に関し、とくに安価で汎用性の高いコンバイン用穀粒搬送機構に関するものである。
【背景技術】
【０００２】
現在、コンバイン用穀粒搬送機構としては、グレンタンクタイプと袋詰めタイプとが有り、田圃の面積によって選択され使用されるのが一般的である。小型のコンバインにおいては、袋詰めタイプが殆どで袋詰めされた穀粒を人手によりトラック等に運ぶものである。グレンタンクタイプのものは中型以上のコンバインに採用され、オーガによって穀粒を直接トラック等に積載された穀粒用タンクに搬送できるものである。
【考案の開示】
【考案が解決しようとする課題】
【０００３】
しかしながら、上記の小型のコンバイン用穀粒搬送機構は、袋詰めされた穀粒を人手でトラック等まで搬送する必要があり、また近年のコンバインの高速化に伴って袋詰めの作業頻度が高くなっており、作業者に多大の負担となっている。また中型以上のコンバイン用穀粒搬送機構は、グレンタンクによって一度に大量の穀粒を蓄えてオーガによってトラック等に積載された穀粒用タンクに穀粒を搬送することができるが、非常に高価なものであり稲作経営者の多大な負担となっている。
【０００４】
これら問題点を解決するため、袋詰め用のホッパーを、機体に固装する下部体と、下部体に対して上下方向に伸縮可能な上部体とに分割形成するとともに、該ホッパー内に穀粒を送出する揚げ穀装置を、下部体の内部において穀粒を排出する体勢と、上部体の内部において穀粒を排出する体勢とに切換えできるようにしてあるコンバインにおける袋詰め用穀粒収容装置が提案されている（特許文献１参照。）。
【０００５】
【特許文献１】実開平５−２９３４２号公報
【０００６】
しかし、上記の特許文献１に記載されているコンバインにおける袋詰め用穀粒収容装置では、ホッパーの容量を田圃の状態例えば湿田や乾田の違いによって変更できる特徴があるが、袋詰めの作業やトラック等への搬送作業は従来と何ら変わらず、作業者の負担解消には繋がらないものである。
【０００７】
本考案は、上記問題点に鑑みなされたものであり、グレンタンクタイプ等の高価な機械設備を使用せずまた小型のコンバインにおける袋詰め作業を必要としないため、安価で、しかも作業者に多大な負担をかけることのないコンバイン用穀粒搬送機構を提供することを目的とするものである。
【課題を解決するための手段】
【０００８】
このため本考案は、コンバインのホッパー下部に着脱可能に取り付けられ穀粒を収容する穀粒収容器と、該穀粒収容器に着脱自在に装着され穀粒を搬送する搬送装置と、該搬送装置に連設され搬送装置を駆動する駆動装置とから構成されることを第１の特徴とする。
【０００９】
また、コンバインのホッパー下部に取り付けられ穀粒を収容する穀粒収容器であって、上面が開放され底面に向かって傾斜面となる側板部を少なくとも２面有する穀粒貯蔵部と、該貯蔵部の底部に設けられた穀粒排出用の開口部と、該開口部に対応する穀粒受用開口部を有し前記穀粒収容器の側面に形成された投入口から所定角度を付けて装着された筒状管体と、から構成されることを第２の特徴とする。
【００１０】
そして、穀粒収容器に着脱自在に装着され穀粒を搬送する搬送装置であって、前記筒状管体内に装着され穀粒を受ける受口部と、穀粒を搬送する搬送部と、搬送された穀粒を排出する排出口と、前記搬送部を駆動させる駆動装置から構成されることを第３の特徴とする。
【考案の効果】
【００１１】
本考案のコンバイン用穀粒搬送機構は、以上のように構成されているので次のような優れた効果を有する。
（１）グレンタンクタイプ等の高価な設備を使用せず、既存のコンバインに取り付けて使用することができるため、安価であるという効果がある。
（２）コンバインのホッパー下部に取り付けられた穀粒収容器から搬送装置を介して、収穫された穀粒が搬送されるため、人手による穀粒の袋詰め作業やトラック等への運搬作業を必要としないため、作業者に多大の負担をかけることがないという優れた効果がある。
（３）穀粒収容器内に設けられた筒状管体に穀粒が移動し、さらに搬送機構によって穀粒が搬送されるため、穀粒の流出や搬送時の漏れが生じないため効率よく穀粒の回収ができるという効果がある。
【考案を実施するための最良の形態】
【００１２】
以下、本考案の実施の形態を、図面に示す実施例に基づいて説明する。
図１は、本考案に係るコンバイン用穀粒搬送機構の一実施例を示す側面説明図、図２は図１のＡ−Ａ線断面図、図３は本考案のコンバイン用穀粒搬送機構を使用したコンバインの全体斜視図である。
【実施例】
【００１３】
図１、２に示すように本考案のコンバイン用穀粒搬送機構１は、プラスチックや木材等からなる箱型穀粒収容器２と、可撓性を有し内部に螺旋状の搬送部５を有するパイプ３と、パイプ３の一端に取付けられ搬送部５を駆動させる駆動装置４とから構成される。
【００１４】
穀粒収容器２は上部が開放された略長方体形状をしており内部には２面の側板６が所定の傾斜で取付けられ、底部には矩形の開口部７が形成されて穀粒貯蔵部２１が構成されている。また穀粒収容器２の側面側の所定位置にはパイプ３が投入可能な投入口８が形成され、この投入口８から塩化ビニルパイプ等の筒状体９が前記２面の側板６が形成する矩形の開口部７に沿って傾斜を付けて穀粒貯蔵部２１の下部に取付けられる。さらに筒状体９の所定位置には前記開口部７と対応する穀粒受用開口部１０が形成されている。ここで筒状体９の径は予め前記矩形の開口部７の幅より大きいものとされ、開口部７から穀粒が漏れなく穀粒受用開口部１０に投入される。しかも２面の側板６の傾斜により穀粒が穀粒収容器２内で偏ることなくスムーズに移動するため作業者の手間を不用とする。
【００１５】
パイプ３はプラスチックやゴム等の可撓性を持つ材料で構成され、内部には金属製の螺旋状搬送部５が回動自在に挿通されており、一端部は穀粒を受ける受口部３１を形成し、他端部には搬送部５を駆動させるモーター等の駆動装置４が取付けられると共に穀粒の排出口３２が備えられている。ここで駆動装置４の駆動により螺旋状搬送部５が回動し、パイプ３の受口部３１から穀粒が螺旋状搬送部５の回動に伴い搬送され、排出口３２から排出される。尚、本実施例においては螺旋状搬送部５を使用する例を示したが、真空ポンプ等による吸引方式であってもかまわない。
【００１６】
図３は本考案のコンバイン用穀粒搬送機構１を使用したコンバインの全体斜視図を示している。コンバイン本体１１のホッパー１２下部に穀粒収容器２が投入口８を外に向けて取付けられ、穀粒収容器２の投入口８にはパイプ３が挿入され駆動装置４と連結されている。そして駆動装置４はトラック（図示せず）の荷台に設けられたコンテナ等に設置されて穀粒の積替えが可能とされ、従来の袋詰め作業やトラックへの積み替え作業を不用とする。
【００１７】
以上のように構成された本考案のコンバイン用穀粒搬送機構１による穀粒の収穫作業を図３に従いさらに詳細に説明すると、コンバイ本体１１の刈取搬送部１３で刈取った穀稈を脱穀選別部１４で脱穀選別し、得られた精穀粒を、脱穀選別部１４の近傍に備えられたホッパー１２に楊穀して一時貯留すると共にホッパー１２の下部に設けられたシャッター付穀粒排出筒１５のシャッター操作により穀粒がホッパー１２から穀粒収容器２へ排出する。穀粒収容器２に排出された穀粒は側板６を滑り開口部７さらに穀粒受用開口部１０に落下し筒状体９に送られ、筒状体９に投入されたパイプ３の受口部３１から搬送部５の駆動によって排出口３２からトラックの荷台のコンテナへ排出される。上記の工程によって従来の人手による袋詰め作業やトラックの積込み作業を必要とせず効率よく穀粒の回収ができる。ここで、搬送部５の駆動はコンバイン本体１１の稼動と同時であっても、穀粒収容器２内で所定の量が貯留された後であっても良く、さらに穀粒収容器２内に設けられたセンサー（図示せず）によって予め設定された量が貯留された時点で駆動するものであっても良い。
【００１８】
以上、本考案によるコンバイン用穀粒搬送機構によれば、ホッパー下部に取り付けられた穀粒収容器から搬送装置を介して、収穫された穀粒が搬送されるため、人手による穀粒の袋詰め作業やトラック等への運搬作業を必要としないため、作業者に多大の負担をかけることがない。しかもグレンタンクタイプ等の高価な設備を使用せず、既存のコンバインに取り付けて使用することができるため、安価であり稲作経営者の負担が軽減できる。
【図面の簡単な説明】
【００１９】
【図１】本考案に係るコンバイン用穀粒搬送機構の一実施例を示す側面説明図である。
【図２】図１のＡ−Ａ線断面図である。
【図３】本考案に係るコンバイン用穀粒搬送機構を使用したコンバインの全体斜視図である。
【符号の説明】
【００２０】
１          コンバイン用穀粒搬送機構
２          穀粒収容器
３          パイプ
４          駆動装置
５          搬送部
６          側板
７          開口部
８          投入口
９          筒状体
１０          穀粒受用開口部
１１          コンバイン本体
１２          ホッパー
１３          刈取搬送部
１４          脱穀選別部
１５          穀粒排出筒
２１          穀粒貯蔵部
３１          受口部
３２          排出口
【図１】
0003115533.tif 000003
【図２】
0003115533.tif 000004
【図３】
0003115533.tif 000005